(57)【要約】【課題】  記録媒体の限界を超える時間／時期を事前に予測し、記録媒体への記録を指示する前に効率よく記録媒体の空き領域を確保することができる計算機システムを得る。【解決手段】  ファイルアクセス記録／管理手段１３により、記録媒体１６に対するファイル入出力のアクセス実績をファイルアクセス管理テーブル１７に記録し、このファイルアクセス管理テーブル１７のアクセス実績から時間／日当りのファイル容量の増量をファイル容量増量予測手段１４により予測し、この予測された時間／日当りのファイル容量の増量及び記録媒体１６の現在の空き容量から、ファイル容量が記録媒体１６の限界容量を超える時期を時間／時期予測手段１５により予測するようにした。【選択図】図１
2005250528.tif 000002
【特許請求の範囲】
【請求項１】
複数のファイルが格納される記録媒体に対してファイル入出力を行う計算機システムにおいて、上記記録媒体に対するファイル入出力のアクセス実績を管理するファイルアクセス管理テーブル、このファイルアクセス管理テーブルのアクセス実績から一定期間のファイル容量の増量を予測するファイル容量増量予測手段、及びこのファイル容量増量予測手段によって予測された一定期間のファイル容量の増量及び上記記録媒体の現在の空き容量から、上記ファイル容量が上記記録媒体の限界容量を超える時期を予測する時期予測手段を備えたことを特徴とする計算機システム。
【請求項２】
複数のファイルが格納される記録媒体に対してファイル入出力を行う計算機システムにおいて、上記記録媒体に対するファイル入出力のアクセス実績を管理するファイルアクセス管理テーブル、このファイルアクセス管理テーブルのアクセス実績から一定期間のファイル容量の増量を予測するファイル容量増量予測手段、上記記録媒体の空き容量の下限値を設定する設定手段、及び上記ファイル容量増量予測手段によって予測された一定期間のファイル容量の増量及び上記記録媒体の現在の空き容量から、上記ファイル容量が、上記設定手段によって設定された上記記録媒体の空き容量の下限値を超える時期を予測する時期予測手段を備えたことを特徴とする計算機システム。
【請求項３】
上記ファイル容量増量予測手段によって予測された一定期間のファイル容量の増量により、上記記録媒体の空き容量の下限値を超えることが予測される場合には、上記記録媒体に格納されているファイルを圧縮することにより、上記一定期間のファイル容量の増量分の空き容量を生成するファイル圧縮手段を備えたことを特徴とする請求項２記載の計算機システム。
【請求項４】
上記一定期間のファイル容量の増量の結果、上記記録媒体の空き容量が、上記ファイル圧縮手段により空き容量が生成される前の上記記録媒体の空き容量よりも小さくなった場合には、上記ファイル圧縮手段で上記記録媒体に格納されているファイルを圧縮することにより、上記小さくなった量分の空き容量を生成することを特徴とする請求項３記載の計算機システム。
【請求項５】
上記時期予測手段によって予測された上記時期を、ユーザに告知する告知手段を備えたことを特徴とする請求項１〜請求項４のいずれかに記載の計算機システム。
【発明の詳細な説明】
【技術分野】
【０００１】
この発明は、ハードディスクや光磁気ディスク等の記録媒体に対し、一定の空き領域を確保することができる計算機システムに関するものである。
【背景技術】
【０００２】
従来の計算機システムのファイル管理方式においては、記録媒体の容量に限界があるため、新たにファイルを記録する際、空き領域がなくなった時には、ユーザが明示的にファイルを指定して消去したり、明示的にファイルを圧縮することにより空き領域を確保していた。
また、特許文献１に記載された従来の計算機システムのファイル管理方式においては、空き領域が少ない時にファイル自動消去あるいは圧縮が必要であると判断し、ユーザが明示的に消去あるいは圧縮要求を発生しなくても、記録媒体に自動的に空き領域を作成していた。
【０００３】
【特許文献１】特開平９−１２８２７６号公報（第６〜８頁、図１）
【発明の開示】
【発明が解決しようとする課題】
【０００４】
従来の計算機システムのファイル管理方式は、新たにファイルを記録媒体に記録する際に空き容量をチェックし、記録媒体に空き容量がない時にユーザが明示的に消去あるいは圧縮要求を発生してファイルの消去あるいは圧縮を行わなければならないという問題点があった。
【０００５】
また、特許文献１では、記録媒体の空き容量の確保のために自動的にファイルの消去あるいは圧縮を行うものの、記録媒体の限界容量に達する時期を予測する手段がないため、事前に記録媒体の限界容量に達する時期を把握することができないという問題点があった。
【０００６】
この発明は、上記のような課題を解決するためになされたものであり、記録媒体の限界を超える時間／時期を事前に予測し、効率よく記録媒体の空き領域を確保することができる計算機システムを得ることを目的とする。
【課題を解決するための手段】
【０００７】
この発明に係わる計算機システムにおいては、複数のファイルが格納される記録媒体に対してファイル入出力を行う計算機システムにおいて、記録媒体に対するファイル入出力のアクセス実績を管理するファイルアクセス管理テーブル、このファイルアクセス管理テーブルのアクセス実績から一定期間のファイル容量の増量を予測するファイル容量増量予測手段、及びこのファイル容量増量予測手段によって予測された一定期間のファイル容量の増量及び記録媒体の現在の空き容量から、ファイル容量が記録媒体の限界容量を超える時期を予測する時期予測手段を備えたものである。
【発明の効果】
【０００８】
この発明は、以上説明したように、複数のファイルが格納される記録媒体に対してファイル入出力を行う計算機システムにおいて、記録媒体に対するファイル入出力のアクセス実績を管理するファイルアクセス管理テーブル、このファイルアクセス管理テーブルのアクセス実績から一定期間のファイル容量の増量を予測するファイル容量増量予測手段、及びこのファイル容量増量予測手段によって予測された一定期間のファイル容量の増量及び記録媒体の現在の空き容量から、ファイル容量が記録媒体の限界容量を超える時期を予測する時期予測手段を備えたので、記録媒体の限界容量を超える時期を事前に予測し、記録媒体の空き領域の確保につなげることができる
【発明を実施するための最良の形態】
【０００９】
実施の形態１．
以下、この発明の実施の形態１を図１に基づいて説明する。
図１は、この発明の実施の形態１による計算機システムを示すブロック図であり、記録媒体に対してファイル入出力を行う計算機システムの記録媒体の空き容量から、記録媒体の限界容量を超える時間／時期を予測するように構成されている。
図１において、計算機システム１１は、記録媒体に対してファイル入出力を行う。ファイル管理プログラム１２は、ファイルの管理を行う。ファイルアクセス記録／管理手段１３は、アクセスされたファイル情報を管理する。ファイル容量増量予測手段１４は、一定期間の記録媒体に対するファイル容量の増量を予測する。時間／時期予測手段１５（時期予測手段）は、ファイル容量増量予測手段１４によって予測された一定期間のファイル容量の増量と現在の記録媒体の空き容量とから、記録媒体の容量の下限値を超える時間／時期を、定周期で予測する。この１３〜１５は、ファイル管理プログラム１２を構成する。
ファイルアクセス管理テーブル１７は、記録媒体１６の中に記録されたファイルのアクセス実績を管理する。ファイル１８は、記録媒体１６の中に記録されてたファイル群である。
【００１０】
図２は、この発明の実施の形態１による計算機システムのファイルアクセス管理テーブルを示す説明図である。
図２において、ファイルアクセス管理テーブル１７は、ｎ日分のファイルアクセス履歴を保持し、１日分の日付毎ファイルアクセス管理テーブル２１を複数有している。
【００１１】
図３は、この発明の実施の形態１による計算機システムの日付毎ファイルアクセス管理テーブルを示す説明図である。
図３において、ファイル名３１は、記録媒体１６に記録されているファイル名、初回記録時間３２は、記録媒体１６に最初に記録された日時、初回ファイルサイズ３３は、記録媒体１６に最初に記録されたファイルサイズ、更新記録時間３４は、記録媒体１６に対してファイルを更新した日時、更新ファイルサイズ３５は、記録媒体１６に対してファイルを更新したときのファイルサイズである。更新回数３６は、記録媒体１６に対してファイルを更新した回数である。
図４は、この発明の実施の形態１による計算機システムのファイル管理方式における処理の流れを示すフローチャートである。
【００１２】
次に、動作について、図４を参照して説明する。
図４の処理は、定周期またはファイルの記録時に自動的に行われる。まず、ステップＳＴ４１で、記録媒体１６の現在の空き容量を求める。ステップＳＴ４２で、ファイルアクセス管理テーブル１７内の１日分の日付毎ファイルアクセス管理テーブル２１の情報からｎ日間の記録媒体１６内のファイルサイズの増加量を求める。続くステップＳＴ４３で、ｎ日間のファイルサイズの１日平均増加量を求める。なお、日付毎ファイルアクセス管理テーブル２１は、ｎ日分のファイルアクセス履歴が保持されるが、翌日になった時点で、ｎ日前の日付毎ファイルアクセス管理テーブル２１は破棄され、常に最新ｎ日分のファイルアクセス履歴を保持する。
【００１３】
次いで、ステップＳＴ４４で、ステップＳＴ４１で求めた記録媒体１６の空き容量とステップＳＴ４３で求めたファイルサイズの１日平均増加量を比較して、記録媒体１６の空き容量が多い場合は、ステップＳＴ４５に進み、少ない場合はステップＳＴ４６に進む。次に、ステップＳＴ４５で、ステップＳＴ４１で求めた記録媒体の空き容量とステップＳＴ４３で求めたファイルサイズの１日平均増加量を基に、記録媒体１６の容量の限界を超えるのが、大体、何日後になるか求める。
また、ステップＳＴ４６で各日付毎ファイルアクセス管理テーブル２１のデータから１日のファイルサイズの１時間当たりの平均増加量を求め、ｎ日間の１時間当たりのファイルサイズ平均増加量を求める。続いて、ステップＳＴ４７でステップＳＴ４１で求めた記録媒体の空き容量とｎ日間の１時間当たりのファイルサイズ平均増加量を基に、記録媒体１６の容量の限界を超えるのが大体、何時間後になるか求める。
【００１４】
以上のように、実施の形態１によれば、ｎ日分の日付毎ファイルアクセス管理テーブル２１の情報からファイルサイズの増量を見積ることで、現在の記録媒体の空き容量とファイルサイズの増量見積値から、記録媒体への記録が記録媒体の下限値を超えるのが、何日後くらいになるのかを見積ることができる。
また、記録媒体の空き容量が、１日単位のファイルサイズ増量見積り量よりも小さい場合は、日数単位でなく、ファイルサイズの増量を時間単位で見積ることができ、記録媒体の下限値を超えるのが、何時間後くらいになるのかを見積ることが可能である。
【００１５】
実施の形態２．
図５は、この発明の実施の形態２による計算機システムの記録媒体の状態を示す説明図である。
図５において、記録媒体１６の空き容量の下限値が、ユーザによって、設定手段により設定されている。
図６は、この発明の実施の形態２による計算機システムのファイル管理方式における処理の流れを示すフローチャートである。
【００１６】
次に、動作について、図６を参照しながら説明する。
図６の処理は、定周期またはファイルの記録時に自動的に行われる。まず、ステップＳＴ６１（設定手段）で、記録媒体１６の現在の空き容量を求めると共に、ユーザの指定した記録媒体１６の空き容量の下限値を設定する。ステップＳＴ６２で、ファイルアクセス管理テーブル１７内の１日分の日付毎ファイルアクセス管理テーブル２１の情報からｎ日間の記録媒体１６内のファイルサイズの増加量を求める。続くステップＳＴ６３で、ｎ日間のファイルサイズの１日平均増加量を求める。ステップＳＴ６４で、ステップＳＴ６１で設定した記録媒体１６の空き容量下限値とステップＳＴ６３で求めたファイルサイズの１日平均増加量を比較して、記録媒体１６の空き容量下限値が多い場合は、ステップＳＴ６５に進み、少ない場合はステップＳＴ６６に進む。
【００１７】
次に、ステップＳＴ６５で、ステップＳＴ６１で求めた記録媒体１６の現在の空き容量とユーザによって設定された記録媒体１６の空き容量下限値と、ステップＳＴ６３で求めたファイルサイズの１日平均増加量を基に、ステップＳＴ６１の記録媒体の空き容量下限値を超えるのが、大体、何日後になるか求める。また、ステップＳＴ６６で、各日付毎ファイルアクセス管理テーブル２１のデータから、１日のファイルサイズの１時間当たりの平均増加量を求め、ｎ日間の１時間当たりのファイルサイズ平均増加量を求める。続いて、ステップＳＴ６７で、ステップＳＴ６１で求めた記録媒体１６の現在の空き容量とユーザによって設定された記録媒体１６の空き容量下限値と、ｎ日間の１時間当たりのファイルサイズ平均増加量を基に、ステップＳＴ６１の記録媒体１６の空き容量下限値を超えるのが、大体、何時間後になるか求める。
【００１８】
以上のように、実施の形態２によれば、記録媒体の中でユーザが指定した空き容量を確保することを考慮して、ｎ日分のファイルアクセス管理テーブルの情報からファイルサイズの増量を見積ることで、記録媒体の空き容量下限値とファイルサイズの増量見積値から記録媒体への記録が、記録媒体の空き容量下限値を超えるのが、何日後くらいになるのかを見積ることができる。
また、記録媒体の空き容量下限値が、１日単位のファイルサイズ増量見積り量よりも小さい場合は、日数単位でなく、ファイルサイズの増量を時間単位で見積ることができ、確保したい記録媒体の空き容量下限値を超えるのが何時間後くらいになるのかを見積ることが可能である。
【００１９】
実施の形態３．
図７は、この発明の実施の形態３による計算機システムを示すブロック図であり、記録媒体に対してファイル入出力を行う計算機システムの記録媒体の容量から記録媒体の限界容量を超える時間／時期を予測すると共に、予測した時間／時期を告知するように構成されている。
図７において、１１〜１８は図１におけるものと同一のものである。表示装置７１に、予測した時間／時期が告知される。
図８は、この発明の実施の形態３による計算機システムのファイル管理方式における処理の流れを示すフローチャートである。
【００２０】
次に、動作について、図８を参照しながら説明する。
図８の処理は、定周期またはファイルの記録時に自動的に行われる。まず、ステップＳＴ８１で、記録媒体１６の現在の空き容量を求める、あるいは、ユーザの指定した記録媒体１６の空き容量の下限値を設定する。ステップＳＴ８２で、ファイルアクセス管理テーブル１７内の１日分の日付毎ファイルアクセス管理テーブル２１の情報から、ｎ日間の記録媒体１６内のファイルサイズの増加量を求める。続くステップＳＴ８３で、ｎ日間のファイルサイズの１日平均増加量を求める。ステップＳＴ８４で、ステップＳＴ８１で求めた記録媒体１６の空き容量あるいは設定した記録媒体１６の空き容量下限値と、ステップＳＴ８３で求めたファイルサイズの１日平均増加量を比較して、記録媒体１６の空き容量あるいは記録媒体の空き容量下限値が多い場合は、ステップＳＴ８５に進み、少ない場合はステップＳＴ８６に進む。
【００２１】
次に、ステップＳＴ８５で、ステップＳＴ８１で求めた記録媒体１６の空き容量あるいは設定した記録媒体１６の空き容量下限値と、ステップＳＴ８３で求めたファイルサイズの１日平均増加量を基に、ステップＳＴ８１の記録媒体の空き容量あるいは設定した記録媒体の空き容量下限値を超えるのが、大体、何日後になるか求める。また、ステップＳＴ８６で、各日付毎ファイルアクセス管理テーブル２１のデータから１日のファイルサイズの１時間当たりの平均増加量を求め、ｎ日間の１時間当たりのファイルサイズ平均増加量を求める。続いて、ステップＳＴ８７で、ステップＳＴ８１で求めた記録媒体１６の空き容量あるいは設定した記録媒体１６の空き容量下限値とｎ日間の１時間当たりのファイルサイズ平均増加量を基に、ステップＳＴ８１で求めた記録媒体１６の空き容量あるいは設定した記録媒体１６の空き容量下限値を超えるのが、大体、何時間後になるか求める。ステップＳＴ８５あるいはステップＳＴ８７で求めた予測時間／時期をステップＳＴ８８（告知手段）で、表示装置７１への画面表示やメール等の手段を使ってユーザに告知する。
【００２２】
以上のように、実施の形態３によれば、実施の形態１あるいは実施の形態２によって予測した記録媒体の空き容量あるいは設定した記録媒体の空き容量下限値を超える時間／時期をユーザに告知することにより、ユーザは、記録媒体の空き容量あるいは設定した記録媒体の空き容量下限値を超える時間／時期を把握することができ、事前の対応を取ることが可能となる。
【００２３】
実施の形態４．
図９は、この発明の実施の形態４による計算機システムを示すブロック図であり、記録媒体に対してファイル入出力を行う計算機システムの記録媒体の容量から記録媒体の空き容量の下限値を超える時間／時期を予測すると共に、下限値を超えると予測される場合には、ファイルを圧縮して空き容量を確保するように構成されている。
図９において、１１〜１８は図１におけるものと同一のものである。ファイル圧縮手段９１は、１日あるいは１時間のファイル容量の増量分を圧縮する。
【００２４】
図１０は、この発明の実施の形態４による計算機システムの日付毎ファイルアクセス管理テーブルを示す説明図である。
図１０において、２１、３１〜３６は図３におけるものと同一のものである。圧縮有無１０１は、ファイルの圧縮の有無情報を保持する。
図１１は、この発明の実施の形態４による計算機システムのファイル管理方式における処理の流れを示すフローチャートである。
【００２５】
次に、動作について、図１１を参照しながら説明する。
まず、ステップＳＴ１１１で、記録媒体１６の現在の空き容量を求める。ステップＳＴ１１２で、ファイルアクセス管理テーブル１７内の１日分の日付毎ファイルアクセス管理テーブルの情報から、ｎ日間の記録媒体１６内のファイルサイズの増加量を求める。続くステップＳＴ１１３で、記録媒体１６の空き容量の管理を１日単位で行うかどうかを選択し、１日単位で行う場合は、ステップＳＴ１１４に、１日単位で行わない場合は、ステップＳＴ１１５に進む。ステップＳＴ１１４で、ｎ日間のファイルサイズの１日平均増加量を求める。ステップＳＴ１１５で、各日付毎ファイルアクセス管理テーブル２１のデータから１日のファイルサイズの１時間当たりの平均増加量を求め、ｎ日間の１時間当たりのファイルサイズ平均増加量を求める。
【００２６】
次に、ステップＳＴ１１６で、ステップＳＴ１１１で求めた記録媒体の現在の空き容量及び記録媒体の設定された空き容量の下限値を元に、１日単位または１時間単位のファイル容量の増量が、空き容量の下限値を超えると予想される場合には、未圧縮のファイルを圧縮して空き容量を確保する。すなわち、日付毎ファイルアクセス管理テーブル２１のファイルの圧縮有無１０１を見て、未圧縮のファイルを選択し、このファイルを圧縮して、ステップＳＴ１１４で求めたファイルサイズの１日平均増加量分の空き容量、あるいは１日単位で管理を行わない場合は、１時間単位で管理を行うこととし、ステップＳＴ１１５で求めたファイルサイズの１時間平均増加量分の空き容量を確保する。
【００２７】
以上のように、実施の形態４によれば、予測される１日分あるいは１時間分のファイルサイズ増量分を取得し、ファイルを記録媒体に記録する作業を行う前に、自動的にその増量分の空き容量をさらに確保しておくことにより、現在の空き容量を一定に確保することが可能となる。また、記録媒体の空き容量確保の管理を１日単位もしくは１時間単位で管理することができる。
【００２８】
実施の形態５．
図１２は、この発明の実施の形態５による計算機システムのファイル管理方式における処理の流れを示すフローチャートである。
以下、図１２を参照しながら説明する。
まず、ステップＳＴ１２１で、記録媒体１６の現在の空き容量を求める。ステップＳＴ１２２で、ファイルアクセス管理テーブル１７内の１日分の日付毎ファイルアクセス管理テーブルの情報から、ｎ日間の記録媒体内のファイルサイズの増加量を求める。続くステップＳＴ１２３で、記録媒体１６の空き容量の管理を１日単位で行うかどうかを選択し、１日単位で行う場合は、ステップＳＴ１２４に、１日単位で行わない場合は、ステップＳＴ１２５に進む。ステップＳＴ１２４で、ｎ日間のファイルサイズの１日平均増加量を求める。ステップＳＴ１２５で、各日付毎ファイルアクセス管理テーブル２１のデータから１日のファイルサイズの１時間当たりの平均増加量を求め、ｎ日間の１時間当たりのファイルサイズ平均増加量を求める。
【００２９】
次に、ステップＳＴ１２６で、ステップＳＴ１２１で求めた記録媒体の現在の空き容量及び記録媒体の設定された空き容量の下限値を元に、１日単位または１時間単位のファイル容量の増量が、空き容量の下限値を超えると予想される場合には、未圧縮のファイルを圧縮して空き容量を確保する。すなわち、日付毎ファイルアクセス管理テーブル２１のファイルの圧縮有無１０１を見て、未圧縮のファイルを選択し、このファイルを圧縮してステップＳＴ１２４で求めたファイルサイズの１日平均増加量分の空き容量、あるいは１日単位で管理を行わない場合は、１時間単位で管理を行うこととし、ステップＳＴ１２５で求めたファイルサイズの１時間平均増加量分の空き容量を確保する。
【００３０】
その後、記録媒体１６に対してファイルの記録が行われたら、ステップＳＴ１２７で、記録媒体１６の空き容量を求める。このタイミングは、記録媒体１６の空き容量の管理単位と同じく、１日単位あるいは１時間単位とする。次にステップＳＴ１２８で、ステップＳＴ１２１で求めた最初の記録媒体の空き容量とステップＳＴ１２７で求めたファイル記録後の記録媒体の空き容量とを比較し、最初の記録媒体の空き容量が、ファイル記録後の記録媒体の空き容量よりも大きい場合は、日付毎ファイルアクセス管理テーブル２１のファイルの圧縮有無１０１を見て、未圧縮のファイルを選択し、ステップＳＴ１２９で、空き容量が減少した分だけファイルを圧縮し、最初の記録媒体の空き容量を確保する。最初の記録媒体の空き容量が、ファイル記録後の記録媒体の空き容量以下の場合は、何も行わないで終了する。
【００３１】
以上のように、実施の形態５によれば、実施の形態４によって予測されるファイルサイズの増量分の空き容量を確保したにもかかわらず、記録媒体へのファイルの記録により最初の空き容量を減らしてしまった場合に、減少分の空き容量をファイルの圧縮によって確保することにより、現在の空き容量を一定に確保することが可能となる。
【図面の簡単な説明】
【００３２】
【図１】この発明の実施の形態１による計算機システムを示すブロック図である。
【図２】この発明の実施の形態１による計算機システムのファイルアクセス管理テーブルを示す説明図である。
【図３】この発明の実施の形態１による計算機システムの日付毎ファイルアクセス管理テーブルを示す説明図である。
【図４】この発明の実施の形態１による計算機システムのファイル管理方式における処理の流れを示すフローチャートである。
【図５】この発明の実施の形態２による計算機システムの記録媒体の状態を示す説明図である。
【図６】この発明の実施の形態２による計算機システムのファイル管理方式における処理の流れを示すフローチャートである。
【図７】この発明の実施の形態３による計算機システムを示すブロック図である。
【図８】この発明の実施の形態３による計算機システムのファイル管理方式における処理の流れを示すフローチャートである。
【図９】この発明の実施の形態４による計算機システムを示すブロック図である。
【図１０】この発明の実施の形態４による計算機システムの日付毎ファイルアクセス管理テーブルを示す説明図である。
【図１１】この発明の実施の形態４による計算機システムのファイル管理方式における処理の流れを示すフローチャートである。
【図１２】この発明の実施の形態５による計算機システムのファイル管理方式における処理の流れを示すフローチャートである。
【符号の説明】
【００３３】
１１  計算機システム
１２  ファイル管理プログラム
１３  ファイルアクセス記録／管理手段
１４  ファイル容量増量予測手段
１５  時間／時期予測手段
１６  記録媒体
１７  ファイルアクセス管理テーブル
１８  ファイル
２１  日付毎ファイルアクセス管理テーブル
３１  ファイル名
３２  初回記録時間
３３  初回ファイルサイズ
３４  更新記録時間
３５  更新ファイルサイズ
３６  更新回数
７１  表示装置
９０  ファイル圧縮手段
１０１  圧縮有無
【図１】
2005250528.tif 000003
【図２】
2005250528.tif 000004
【図３】
2005250528.tif 000005
【図４】
2005250528.tif 000006
【図５】
2005250528.tif 000007
【図６】
2005250528.tif 000008
【図７】
2005250528.tif 000009
【図８】
2005250528.tif 000010
【図９】
2005250528.tif 000011
【図１０】
2005250528.tif 000012
【図１１】
2005250528.tif 000013
【図１２】
2005250528.tif 000014